(57)【要約】【課題】天井に設置された状態でも簡単な操作で開口部を閉塞する状態と開放する状態とに切り換え、使用しない際の塵埃の侵入を抑制するプロジェクタを提供する。【解決手段】プロジェクタは、光源から射出された光束を画像情報に応じて変調して画像光を形成する光変調装置と、画像光を投写する投写レンズ３４と、光変調装置および投写レンズ３４を収納し、外部と連通する開口部２１１を有する外装筐体２とを備え、天吊り姿勢にて画像光を投写する。プロジェクタは、開口部２１１を閉塞可能な閉塞部材４と、閉塞部材４に連結され、閉塞部材４を導いて開口部２１１を開閉する開閉機構部５と、一端が閉塞部材４に繋止され、他端が外装筐体２から露出した紐状部材６１を有し、他端側を牽引することによって、開口部２１１の開閉状態を切換える操作部６とを備える。【選択図】図５
2009217214.tif 000002
【特許請求の範囲】
【請求項１】
光源から射出された光束を画像情報に応じて変調して画像光を形成する光変調装置と、前記画像光を投写する投写光学装置と、前記光変調装置および前記投写光学装置を収納し、外部と連通する開口部を有する外装筐体とを備え、天井に吊り下げられた天吊り姿勢にて前記画像光を投写可能なプロジェクタであって、
前記開口部を閉塞可能な閉塞部材と
前記閉塞部材に連結され、前記閉塞部材を導いて前記開口部を開閉する開閉機構部と、
一端が前記閉塞部材または前記開閉機構部に繋止され、他端が前記外装筐体から露出した紐状部材を有し、前記他端側を牽引することによって、前記開口部の開閉状態を切換える操作部と、
を備えることを特徴とするプロジェクタ。
【請求項２】
請求項１に記載のプロジェクタであって、
前記開閉機構部は、前記画像光が通過する前記開口部を開閉することを特徴とするプロジェクタ。
【請求項３】
請求項１または請求項２に記載のプロジェクタであって、
前記開閉機構部は、前記閉塞部材を前記天吊り姿勢における略水平方向に導いて、前記開口部を開閉することを特徴とするプロジェクタ。
【請求項４】
請求項１〜請求項３のいずれか一項に記載のプロジェクタであって、
前記操作部は、前記紐状部材の長さを調整する調整部を備えることを特徴とするプロジェクタ。
【請求項５】
請求項１〜請求項４のいずれか一項に記載のプロジェクタであって、
前記開閉機構部は、
前記閉塞部材の位置を規制し、前記開口部を開放する第１の位置と、前記開口部を閉塞する第２の位置との間を移動可能に前記閉塞部材を導くガイド体と、
前記閉塞部材を前記第１の位置または前記第２の位置に保持する弁部と、
を有することを特徴とするプロジェクタ。
【発明の詳細な説明】
【技術分野】
【０００１】
本発明は、画像光を投写するプロジェクタに関する。
【背景技術】
【０００２】
プロジェクタは、光源からの光束を、光変調装置により画像情報に応じて変調し、変調された画像光を投写光学装置によりスクリーン等に投写する光学機器である。そして、企業内でのプレゼンテーションや、家庭内での映画鑑賞等の種々の用途に、机上等に載置された姿勢や、天井に設置された姿勢で用いられている。
これらの光変調装置および投写光学装置等の装置本体を収納する外装筐体には、投写光学装置が投写する画像光を通過させるための開口部や、光源の点灯に伴う内部の温まった空気を排出するための開口部が設けられている。これらの開口部は、外装筐体の外部と連通しているため、この開口部から外気中に混在する塵埃が外装筐体内に入る虞がある。外装筐体内に入った塵埃が光変調装置等の光学部品に付着すると投写画像の画質が劣化するという問題がある。
【０００３】
そこで、非使用時の塵埃の侵入を抑制するために、開口部の前にシャッタを設け、使用時には開口部を開放し、非使用時には開口部を閉塞するように構成したプロジェクタが提案されている（特許文献１参照）。
特許文献１の技術は、投写光学装置（投写レンズ）の前、および光源（光源ランプ）の背後にそれぞれ設けられた開口部を開閉するための第１と第２のシャッタを設ける。そして、第１と第２のシャッタにそれぞれ設けられた把手の操作でシャッタを開閉する。
【０００４】
【特許文献１】特開２０００−３０５１７５号公報
【発明の開示】
【発明が解決しようとする課題】
【０００５】
しかしながら、特許文献１に記載の技術は、把手の操作によってシャッタの開閉操作を行うため、プロジェクタが天吊りされた状態では、多くの場合、操作する者の手がとどかない。そのため、踏み台などを使用して操作する必用があるため、簡単に操作することが難しいという課題がある。また、踏み台などを使用して操作する場合には、安定性に欠けるため、操作者が危険を伴うことが懸念される。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源から射出された光束を画像情報に応じて変調して画像光を形成する光変調装置と、前記画像光を投写する投写光学装置と、前記光変調装置および前記投写光学装置を収納し、外部と連通する開口部を有する外装筐体とを備え、天井に吊り下げられた天吊り姿勢にて前記画像光を投写可能なプロジェクタであって、前記開口部を閉塞可能な閉塞部材と、前記閉塞部材に連結され、前記閉塞部材を導いて前記開口部を開閉する開閉機構部と、一端が前記閉塞部材または前記開閉機構部に繋止され、他端が前記外装筐体から露出した紐状部材を有し、前記他端側を牽引することによって、前記開口部の開閉状態を切換える操作部と、を備えることを特徴とする。
ここで、外部と連通する開口部とは、外装筐体に設けられ、投写光学装置から投写された画像光が通過する開口部や、外装筐体内の空気を排気したりするための開口部等の空気が流通可能に形成された開口部をいう。
【０００８】
この構成によれば、プロジェクタは、開口部を閉塞可能な閉塞部材と、閉塞部材に連結されている開閉機構部と、外装筐体から露出した紐状部材を有する操作部を備えている。そして、紐状部材が牽引されることによって、開閉機構部は、閉塞部材を導いて開口部を開閉する。これによって、プロジェクタが天井に吊り下げられた状態、つまり使用者から上方に離れた天井に設置された状態でも、踏み台等を使用しなくても紐状部材を牽引するという簡単な操作で開口部を開閉することができる。したがって、プロジェクタを使用しない際に簡単な操作で開口部を閉塞して塵埃の侵入を抑制することができるため、投写画像の画質の劣化を抑制して、製品の長寿命化を図ることが可能となる。また、リモートコントローラ等による遠隔操作によって電気的に開口部を開閉する構成に比べて、電力を使用しないので、省電力化が可能となる。
【０００９】
［適用例２］上記適用例に係るプロジェクタにおいて、前記開閉機構部は、前記画像光が通過する前記開口部を開閉することが好ましい。
【００１０】
画像光が通過する開口部は、投写光学装置の射出側に設けられ、投写光学装置の入射側には、光変調装置が配置されている。つまり、画像光が通過する開口部は、投写光学装置および光変調装置の近傍に設けられており、この開口部から侵入した塵埃は、より光変調装置および投写光学装置に付着する可能性が高くなる。光変調装置は、画像光を形成する装置であり、投写光学装置はこの画像光を投写する装置であるため、これらの装置に塵埃が付着すると投写画像の品質が著しく低下する。
この構成によれば、開閉機構部は、画像光が通過する開口部を開閉するので、投写画像の画質を劣化させる塵埃の侵入をより効果的に抑制することが可能となる。
【００１１】
［適用例３］上記適用例に係るプロジェクタにおいて、前記開閉機構部は、前記閉塞部材を前記天吊り姿勢における略水平方向に導いて、前記開口部を開閉することが好ましい。
【００１２】
この構成によれば、開閉機構部は、閉塞部材を天吊り姿勢における略水平方向、つまりプロジェクタの厚み方向に対して略直交する方向に導いて、開口部を開閉する。これによって、プロジェクタの厚み方向に閉塞部材を収納するスペースを確保する必要がないので、製品の薄型化を図ることが可能となる。
【００１３】
［適用例４］上記適用例に係るプロジェクタにおいて、前記操作部は、前記紐状部材の長さを調整する調整部を備えることが好ましい。
【００１４】
この構成によれば、操作部は、紐状部材の長さを調整する調整部を備えているので、天吊りされたプロジェクタの高さに応じて、外装筐体から露出した紐状部材の長さを調整して操作性の向上を図ることが可能となる。
【００１５】
［適用例５］上記適用例に係るプロジェクタにおいて、前記開閉機構部は、前記閉塞部材の位置を規制し、前記開口部を開放する第１の位置と、前記開口部を閉塞する第２の位置との間を移動可能に前記閉塞部材を導くガイド体と、前記閉塞部材を前記第１の位置または前記第２の位置に保持する弁部とを有することが好ましい。
【００１６】
この構成によれば、開閉機構部は、第１と第２の位置との間を移動できるように閉塞部材を導くガイド体を有しているので、閉塞部材は、それぞれの位置の間を滑らかに移動することができる。また、開閉機構部は、第１または第２の位置に閉塞部材を保持する弁部を有しているので、開口部を開放する状態または閉塞する状態を安定して維持することが可能となる。
【発明を実施するための最良の形態】
【００１７】
以下、本実施形態に係るプロジェクタについて、図面を参照して説明する。
本実施形態のプロジェクタは、光源から射出された光束を、光変調装置により画像情報に応じて変調し、変調された画像光をスクリーン等に投写する光学機器である。また、本実施形態のプロジェクタは、天井に吊り下げられた天吊り姿勢にて画像光を投写することができる。
【００１８】
図１、図２は、本実施形態のプロジェクタが天吊り姿勢にて設置された状態の外観を示す斜視図である。具体的に、図１は、プロジェクタを前方上側から見た斜視図、図２は、プロジェクタを後方上側から見た斜視図である。なお、以下では、説明の便宜上、図１における図面視において、右を「右」（＋Ｘ方向）、前を「前」（＋Ｙ方向）、上を「上」（＋Ｚ方向）として記載する。
図１、図２に示すように、プロジェクタ１は、外装を構成する外装筐体２で本体が囲まれた構成になっている。
外装筐体２は、合成樹脂製であり、下方側を構成するアッパーケース２１と、上方側を構成するロアーケース２２とを備えている。これらアッパーケース２１およびロアーケース２２は、ネジ等により固定されている。
【００１９】
アッパーケース２１は、下側の面２１Ａ、前面２１Ｂ、右側の側面２１Ｃ，左側の側面２１Ｄおよび背面２１Ｅを有して構成される。
前面２１Ｂには、略正方形の開口部２１１が形成されており、この開口部２１１の内側には、投写レンズ３４が配置されている。そして、投写レンズ３４から投写された画像光は、この開口部２１１を通過する。
側面２１Ｃには、複数の長方形状の開口部を有する吸気口２１２が形成されており、外装筐体２の内部は、この吸気口２１２から取り込まれた空気によって冷却される。また、吸気口２１２の内側には、図示しない防塵フィルタが配置されており、外気に混在する塵埃が外装筐体２の内部に侵入することを抑制している。
【００２０】
図２に示すように、背面２１Ｅの側面２１Ｄ寄りには、複数の長方形状の開口部を有する排気口２１３が形成されており、光源３１１（図３参照）の点灯等に伴って温まった外装筐体２内の空気は、この排気口２１３から外部に排出される。また、排気口２１３に隣接して略矩形状の凹部２１４が形成されており、この凹部２１４には、複数の孔が設けられている。この孔から、外部の電子機器と接続するための複数の接続端子が露出している。
【００２１】
ロアーケース２２は、上側の面２２Ａ有して構成され、面２２Ａには、側面２１Ｄと背面２１Ｅに近接する隅部に、光源装置３１（図３参照）を収納するための矩形状の開口部が形成されており、この開口部を覆うランプカバー２３が着脱自在に設けられている。
【００２２】
次に、プロジェクタ１の概略構成について、図１に図３を加えて説明する。
図３は、プロジェクタ１の概略構成を模式的に示す平面図である。
図１、図３に示すように、プロジェクタ１は、外装筐体２と、略Ｌ字状の光学ユニット３と、閉塞部材４と、開閉機構部５と、操作部６とを有して構成されている。なお、具体的な図示は省略したが、外装筐体２内には、上記構成部材以外に、プロジェクタ１内部の各構成部材を冷却する冷却ファン、画像情報に各種処理を施す制御部、制御部等に電力を供給する電源ユニット等が配置されるものとする。
【００２３】
光学ユニット３は、制御部による制御の下、光源３１１から射出された光束を光学的に処理して画像情報に対応した画像光を形成して投写するユニットである。光学ユニット３は、光源３１１を有する光源装置３１、色分離光学装置３２、光学装置３３、投写光学装置としての投写レンズ３４を備える。
【００２４】
色分離光学装置３２は、光源３１１から射出された光束を赤、緑、青の３色の色光に分離して、各色光を光学装置３３に射出する。
光学装置３３は、入射側偏光板３３１、光変調装置としての液晶パネル３３２、射出側偏光板３３３、色合成光学装置としてのクロスダイクロイックプリズム３３４を備え、色分離光学装置３２から射出された各色光を画像情報に応じて変調して画像光を形成する。
投写レンズ３４は、複数のレンズを組み合わせた組レンズとして構成され、光学装置３３から射出された画像光をスクリーン（図示せず）等に拡大投写する。
【００２５】
閉塞部材４、開閉機構部５および操作部６は、アッパーケース２１の前面２１Ｂの内面側に配置されており、操作部６の操作によって、閉塞部材４が開閉機構部５を介して左右方向（±Ｘ方向）、つまり天吊り姿勢において略水平方向に移動することができるように構成されている。そして、開口部２１１は、閉塞部材４が移動することによって開閉され、その開閉状態は、開口部２１１が開放される開放状態と、開口部２１１が閉塞される閉塞状態とに切換えられる。
【００２６】
図４は、閉塞部材４、開閉機構部５および操作部６の概略構成を模式的に示す斜視図であり、開放状態を示す図である。
図４に示すように、閉塞部材４は、開放状態の場合には、投写レンズ３４の前方左側に配置されている。
開閉機構部５は、閉塞部材４に連結されて投写レンズ３４の下方に配置されている。開閉機構部５は、閉塞部材４が開放状態と閉塞状態との間で移動できるように閉塞部材４を導き、閉塞状態においては、その状態を保持するように構成されている。
操作部６は、紐状部材６１を有して構成されており、紐状部材６１は、その一端が閉塞部材４に繋止され、他端が外装筐体２から露出している（図１参照）。操作部６は、紐状部材６１の他端が下方（−Ｚ方向）に牽引されることで開閉機構部５を開放状態と閉塞状態とに切換える。
【００２７】
ここで、閉塞部材４、開閉機構部５および操作部６の詳細について説明する。
図５、図６は、開放状態の閉塞部材４、開閉機構部５および操作部６を示す図である。具体的に図５は前面側から見た正面図、図６は、図５におけＺ−Ｚ断面図である。
閉塞部材４は、図５、図６に示すように、開口部２１１より大きい矩形の開閉本体４１と、開閉本体４１の右側（＋Ｘ方向）下方（−Ｚ方向）に、背面方向（−Ｙ方向）に突出して設けられた直方体状の突起部４２とを有している。突起部４２には、左右方向（±Ｘ方向）に貫通する丸孔４２Ａと、下方側（−Ｚ方向）に開口を有する前後方向（±Ｙ方向）が長い長穴４２Ｂとが形成されている。
【００２８】
開閉機構部５は、連結部５１、案内部５２、案内軸５３、圧縮コイルバネ５４を有して構成されている。
連結部５１は、閉塞部材４に連結され、左右方向において閉塞部材４と共に移動できるように構成されている。具体的に、連結部５１は、図５、図６に示すように、先端が略球状に形成された球状部５１１と、長穴４２Ｂの左右方向の寸法より径寸法が僅かに小さい円柱状の軸部５１２とを有して構成されている。連結部５１は、軸部５１２が長穴４２Ｂに対して、左右方向にはほとんどガタが無く、前後方向（±Ｙ方向）には、長穴４２Ｂに沿って、摺動できるように挿入されている。
【００２９】
図７は、案内部５２を上方からみた平面図である。
図７に示すように、案内部５２は、ガイド体５２１、弁部５２６，５２７Ａ，５２７Ｂを有して構成されている。
ガイド体５２１は、閉塞部材４を導く機能を有し、閉塞部材４に連結されている連結部５１が挿入され、連結部５１が移動できるように構成されている。
ガイド体５２１は、２本の長いパイプ状の部材で形成された通路５２２，５２３と、２本の短いパイプ状の部材で形成された通路５２４，５２５とが内部の中空部を連通して環状に繋がった形状を有しており、アッパーケース２１に固定されている。具体的に、ガイド体５２１は、通路５２２が後方、通路５２３が前方に並設して配置され、通路５２４が通路５２２の右端から前方に向かって右側に傾斜して通路５２３の右端近傍に繋がり、通路５２５が通路５２３の左端から後方に向かって左側に傾斜して通路５２２の左端近傍に繋がっている。
【００３０】
ガイド体５２１の上部には、軸部５１２の径より僅かに大きな幅のスリット５２１Ａが、通路５２２〜通路５２５に沿って環状に形成されている。
連結部５１は、球状部５１１がガイド体５２１内の中空部に挿入され、軸部５１２がスリット５２１Ａに挿入され、通路５２２〜通路５２５をスリット５２１Ａに沿って移動することができる。そして、ガイド体５２１は、連結部５１が通路５２２〜通路５２５を移動することによって、閉塞部材４を開放状態と閉塞状態との間で移動するように導いている。
【００３１】
弁部５２６，５２７Ａ，５２７Ｂは、ガイド体５２１の所定の位置に配置され、連結部５１を一方向には通過させ、その逆方向には通過を規制する機能を有している。
先ず、弁部５２６について説明する。
図７に示すように、弁部５２６は、通路５２２内の右端近傍に設けられており、弁部５２６に対して、左側から右方向に移動する連結部５１を通過させ、右側から左方向に移動する連結部５１を係止して閉塞部材４を閉塞状態に保持するように設けられている。
図８は、弁部５２６を示す平面図であり、図７におけるＡ部の拡大図である。
図８に示すように、弁部５２６は、一対の可動片５２６１，５２６２、固定軸５２８、突起部５２９、図示しない一対の付勢部を有して構成されている。
【００３２】
可動片５２６１は、長方形状の板材で形成されおり、略中央部に丸孔が形成され、長手方向の一方の端面５２６１Ａは、平坦に、他方の端面は、外側が細くなるように傾斜する端面５２６１Ｂを有している。
可動片５２６２は、可動片５２６１に対して対称形に形成され、平坦な端面５２６２Ａと傾斜する端面５２６２Ｂとを有している。
固定軸５２８および突起部５２９は、図８の図面視において、通路５２２内にその中心軸５２２Ｃに対して対称の位置にそれぞれ一対設けられている。突起部５２９は、円柱状をしており、固定軸５２８に対して、右寄りの外側に設けられている。
【００３３】
可動片５２６１，５２６２は、端面５２６１Ａ，５２６２Ａが右方向（＋Ｘ方向）を向き、端面５２６１Ｂ，５２６２Ｂが中心軸５２２Ｃ側になるように、丸孔が固定軸５２８にそれぞれ通されて支持されている。そして、図８の図面視において、可動片５２６１は、固定軸５２８を中心に時計周り（図８における矢印Ｒ１方向）に、可動片５２６２は、反時計回り（図８における矢印Ｒ２方向）に回動するように、付勢部によって付勢されている。
そして、可動片５２６１，５２６２は、端面５２６１Ａ，５２６２Ａがそれぞれ突起部５２９と当接して回転が規制された静姿勢となっている。この静姿勢において、可動片５２６１，５２６２は、端面５２６１Ａ，５２６２Ａがそれぞれ前後方向（±Ｙ方向）に略沿った姿勢となっている。この静姿勢において、可動片５２６１と可動片５２６２との隙間は、連結部５１の外形より小さくなっている。
【００３４】
ここで、弁部５２６の動作について説明する。
図８に示すように、弁部５２６の左側から移動してきた連結部５１は、端面５２６１Ｂおよび端面５２６２Ｂに当接する（図８における位置Ｐ５２）。そして、連結部５１が可動片５２６１，５２６２を押圧すると、可動片５２６１，５２６２は、それぞれが回動して（図７、図８において二点鎖線で示す）、互いの隙間が広くなり、連結部５１は、弁部５２６を通過する。可動片５２６１，５２６２は、連結部５１が通過した後、付勢部によって付勢されて静姿勢に戻る。
【００３５】
一方、弁部５２６の右側から移動してきた連結部５１は、端面５２６１Ａおよび端面５２６２Ａに当接する（図８における位置Ｐ５３）。可動片５２６１，５２６２は、突起部５２９によって、回転が規制されているため、連結部５１は、この状態に保持される。
このように、弁部５２６は、左側から移動してきた連結部５１を通過させ、右側から移動してきた連結部５１を係止する。
【００３６】
次に、弁部５２７Ａ，５２７Ｂについて説明する。
図７に示すように、弁部５２７Ａは、通路５２４と通路５２３とが交差する部位に設けられている。弁部５２７Ａは、弁部５２６が２つの可動片５２６１，５２６２で構成されているのに対して、１つの可動片５２７１で構成されている。そして、弁部５２７Ａは、弁部５２６と同様に、一方の方向から移動してきた連結部５１を通過させ、それと反対方向から移動する連結部５１の通過を規制する。具体的に、弁部５２７Ａは、可動片５２７１が静姿勢において、通路５２４を塞ぐような姿勢に付勢されており、通路５２４から通路５２３に向かって移動する連結部５１を、可動片５２７１の回動によって通過させ、それと逆行する方向の移動を規制する。
【００３７】
弁部５２７Ｂは、弁部５２７Ａと同様に構成され、通路５２５と通路５２２とが交差する部位に設けられている。具体的に、弁部５２７Ｂは、可動片５２７１が静姿勢において、通路５２５を塞ぐような姿勢に付勢されており、通路５２５から通路５２２に向かって移動する連結部５１を、可動片５２７１の回動によって通過させ、それと逆行する方向の移動を規制する。
このように、案内部５２は、連結部５１が環状（通路５２２〜通路５２４〜通路５２３〜通路５２５〜通路５２２）に移動できるように構成されている。また、案内部５２は、図７における図面視において、連結部５１がこの環状を時計回りに移動することができ、反時計回りには、移動できないように構成されている。
【００３８】
次に、案内軸５３および圧縮コイルバネ５４について説明する。
図５に戻って、案内軸５３は、閉塞部材４の丸孔４２Ａに挿入され、両端がアッパーケース２１に設けられている右側の立壁２１５Ｒと左側の立壁２１５Ｌとによって保持されている。
圧縮コイルバネ５４は、閉塞部材４に挿入された案内軸５３に通されて閉塞部材４の右側面と立壁２１５Ｒとの間に配置され、閉塞部材４を左方向に付勢している。圧縮コイルバネ５４は、閉塞部材４を付勢する力が、弁部５２７Ｂにおける可動片５２７１が付勢される力より大きく設定されている。
閉塞部材４は、圧縮コイルバネ５４に付勢されて突起部４２の左側面が立壁２１５Ｌに当接して、開口部２１１を開放した開放状態の位置（第１の位置）に位置決めされる。この開放状態おいて、閉塞部材４に連結されている連結部５１は、案内部５２の左端近傍（図５における位置Ｐ５１）に位置している。
【００３９】
次に、操作部６について説明する。
操作部６は、図５に示すように、紐状部材６１、ガイドローラ６２、手掛け部６３、調整部６４を有して構成されている。
紐状部材６１は、一端が突起部４２の丸孔４２Ａ上方に繋止され、他端がアッパーケース２１の面２１Ａの側面２１Ｃと前面２１Ｂとに近接する隅部（図１参照）に設けられた図示しない孔から露出している。
ガイドローラ６２は、回動自在にアッパーケース２１の右側縁部近傍に取り付けられており、突起部４２に繋止された紐状部材６１を、一旦右側縁部まで導き、さらに下方に向きを変えるように案内している。
手掛け部６３は、紐状部材６１を牽引し易いように、指をかけることができる図示しない凹凸形状を有しており、紐状部材６１の他端に取り付けられている。
【００４０】
調整部６４は、紐状部材６１のアッパーケース２１から露出する長さを調整する機能を有し、ケースから露出した紐状部材６１に取付けられている。調整部６４は、紐状部材６１を内部に収納できるように外形が円柱状の容器状に形成されており、略中央部で開閉できるように構成されている。
図９は、調整部６４を開いた状態を示す斜視図である。
図９に示すように、調整部６４は、巻取り本体６４１、蓋６４２を有して構成されている。巻取り本体６４１には、略中央部に巻取り軸６４３が設けられており、外縁には、略対称の位置に２つの溝６４４が形成されている。蓋６４２は、巻取り本体６４１に対して開閉できるように構成されている。
調整部６４は、巻取り軸６４３に紐状部材６１が巻かれ、巻かれた紐状部材６１の両端がそれぞれ溝６４４に押入されて蓋６４２が閉じられることによって、紐状部材６１を収納する。
【００４１】
次に、閉塞部材４、開閉機構部５および操作部６の動作について、図５、図７に図１０を加えて説明する。
図１０は、閉塞状態の閉塞部材４および開閉機構部５を示す図である。
図５に示すように、開放状態では、前述したように閉塞部材４は、連結部５１と共に第１の位置に配置されている。
この開放状態から紐状部材６１が圧縮コイルバネ５４の付勢する力以上の力で牽引されると、閉塞部材４は、紐状部材６１に牽引されて右方向に移動する。図５、図７に示すように、閉塞部材４が移動すると閉塞部材４に連結されている連結部５１は、閉塞部材４と共にスリット５２１Ａに沿って通路５２２を左側から右方向に移動する。そして、連結部５１は、閉塞部材４と共に、通路５２２の右側まで牽引されて弁部５２６に到達する。
【００４２】
弁部５２６に到達した連結部５１は、左側から可動片５２６１，５２６２を押圧して回動させ、弁部５２６を通過する。連結部５１が弁部５２６を通過した後、紐状部材６１の牽引が停止されると、閉塞部材４は、圧縮コイルバネ５４によって付勢されているため、左方向に移動する。そして、閉塞部材４は、前述したように連結部５１が弁部５２６に係止されることによって、連結部５１と共にこの位置（第２の位置）で保持される（図７、図１０における位置Ｐ５３）。この状態は、閉塞部材４が開口部２１１を閉塞している状態、すなわち閉塞状態となる。
【００４３】
この閉塞状態から紐状部材６１が牽引されると、図７に示すように、連結部５１は、スリット５２１Ａに沿って通路５２２から通路５２４に移動する。この際、連結部５１は、閉塞部材４に対して軸部５１２が長穴４２Ｂを後方から前方に徐々に移動する（図６参照）。
通路５２４に移動した連結部５１は、通路５２４が前方に向かって右側に傾斜しているので、通路５２４を滑らかに移動し、弁部５２７Ａに当接する。そして、連結部５１は、可動片５２７１を押圧して回動させ、弁部５２７Ａを通過して通路５２３に進入する。そして、連結部５１は、閉塞部材４と共に通路５２３の右端近傍に至る（図７、図１０における位置Ｐ５５）。
【００４４】
この状態から、牽引が停止されると、連結部５１は、閉塞部材４が圧縮コイルバネ５４によって付勢されているので、閉塞部材４と共に左方向に移動する。連結部５１は、弁部５２７Ａによって通路５２４に進入することが規制されているので、通路５２３をスリット５２１Ａに沿って移動し、通路５２３の左端近傍から通路５２５に進入する。
そして、連結部５１は、通路５２５が後方に向かって左側に傾斜しているので通路５２５を滑らかに移動して弁部５２７Ｂに当接する。連結部５１は、この通路５２５を移動する際に、閉塞部材４に対して軸部５１２が長穴４２Ｂを前方から後方に徐々に移動する（図６参照）。
弁部５２７Ｂに当接した連結部５１は、可動片５２７１を押圧して回動させて弁部５２７Ｂを通過し、通路５２２に進入して左方向に移動する。そして、閉塞部材４は、突起部４２の左側面が立壁２１５Ｌに当接して、第１の位置に位置決めされる。この状態は、開口部２１１が再び開放された開放状態となる。
このように、閉塞部材４は、紐状部材６１が牽引されることによって、開閉機構部５を介して左右方向（±Ｘ方向）に移動して、開放状態と閉塞状態とに切換えられる。
【００４５】
以上説明したように、本実施形態のプロジェクタ１によれば、以下の効果を得ることができる。
（１）本実施形態のプロジェクタ１によれば、閉塞部材４は、紐状部材６１が牽引されることによって、開閉機構部５が操作されて閉塞状態と開放状態とに切換えられる。これによって、プロジェクタ１が天井に吊り下げられた状態、つまりプロジェクタ１が使用者から離れた天井に設置された状態でも、踏み台等を使用しなくても紐状部材６１を牽引するという簡単な操作で閉塞状態と開放状態とを切り換えることができる。したがって、プロジェクタ１を使用しない際に簡単な操作で開口部２１１を閉塞して塵埃の侵入を抑制することができるため、投写画像の画質の劣化を抑制して、製品の長寿命化を図ることが可能となる。
【００４６】
（２）本実施形態のプロジェクタ１によれば、閉塞部材４は、画像光が通過する開口部２１１を開閉するので、投写画像の画質を劣化させる塵埃の侵入をより効果的に抑制することが可能となる。
【００４７】
（３）本実施形態のプロジェクタ１によれば、リモートコントローラ等による遠隔操作によって電気的に閉塞部材４を開閉する構成に比べて、電力を使用しないので、省電力化が可能となる。また、閉塞部材４を駆動するモータなどの回路部品等が不要なので、低コスト化および軽量化が図れるとともに、モータなどの回路部品等を配置するスペースが不要となるので、省スペース化が可能となる。
【００４８】
（４）本実施形態のプロジェクタ１によれば、閉塞部材４は、天吊り姿勢において略水平方向、つまりプロジェクタ１の厚み方向に対して略直交する方向に移動することによって、閉塞状態と開放状態とが切り換えられる。これによって、プロジェクタ１の厚み方向に閉塞部材４を収納するスペースを確保する必要がないので、製品の薄型化を図ることが可能となる。
【００４９】
（５）本実施形態のプロジェクタ１によれば、操作部６は、調整部６４を備えているので、天吊りされたプロジェクタ１の高さに応じて、外装筐体２から露出した紐状部材６１の長さを調整して操作性の向上を図ることが可能となる。
【００５０】
（６）本実施形態のプロジェクタ１によれば、開閉機構部は、連結部５１、ガイド体５２１を有しているので、第１の位置と第２の位置との間で閉塞部材を滑らかに移動させることができる。また、開閉機構部は、弁部５２６を有しているので、閉塞状態を安定して維持することが可能となる。
【００５１】
（７）本実施形態のプロジェクタ１によれば、開閉機構部５は、紐状部材６１が牽引される操作のみで、閉塞状態と開放状態とが切換えられるので、使用者は紐状部材６１を牽引するだけで開口部２１１を開放したり、閉塞したりすることが可能となり、利便性の向上を図ることが可能となる。
【００５２】
（８）本実施形態のプロジェクタ１によれば、紐状部材６１は、面２１Ａの側面２１Ｃと前面２１Ｂとに近接する隅部の孔、つまり吸気口２１２および排気口２１３から離れた位置から露出しているので、吸排気による空気の流れによって揺らぐことが少なく、投写画像の観察者に不快感を与えずに画像光を投写することが可能となる。
【００５３】
なお、前記実施形態は、以下のように変更してもよい。
（変形例１）
前記実施形態の閉塞部材４は、画像光が通過する開口部２１１の開閉を行っているが、排気口２１３等の開口部の開閉を行ってもよい。また、複数の閉塞部材を備え、複数の開口部をそれぞれ個別に開閉するように構成してもよいし、１つの閉塞部材で複数の開口部の開閉を行うように構成してもよい。また、閉塞部材４を略水平方向以外、例えば上下方向に移動させるように構成してもよい。
【００５４】
例えば、開口部２１１および排気口２１３を開閉する１つの閉塞部材を備えたプロジェクタについて、図１１、図１２を用いて説明する。
図１１、図１２は、プロジェクタが天吊り姿勢にて設置された状態の外観を示す斜視図であり、閉塞部材が開口部２１１および排気口２１３を開放した開放状態を示す図である。具体的に、図１１は、プロジェクタの前方上側から見た斜視図、図１２は、プロジェクタの後方上側から見た斜視図である。
図１１、図１２に示すように、プロジェクタ１０は、閉塞部材４０、図示しない開閉機構部、紐状部材を有する操作部６０を有して構成されており、閉塞部材４０は、操作部６０が牽引されることによって開閉機構部を介して上下方向（±Ｚ方向）に移動できるように構成されている。
【００５５】
閉塞部材４０は、下方（−Ｚ方向）に開口部を有する箱状に形成されており、外装筐体２の上側の面、前面、左右の側面および背面の一部を覆うことができるように構成されている。背面には、閉塞部材４０が上下方向に移動しても凹部２１４が露出するように、開口部１４０が設けられている。
そして、閉塞部材４０は、操作部６０が牽引されると開閉機構部によって上下方向に移動する。そして、閉塞部材４０が下方に下がった状態の際には、開口部２１１および排気口２１３は、閉塞部材４０によって閉塞される開放状態となる。
このように、閉塞部材４０は、操作部６０の操作によって、開閉機構部を介して開口部２１１および排気口２１３を開閉することができるので、プロジェクタ１０を使用しない際の塵埃の侵入をさらに抑制することが可能となる。
【００５６】
（変形例２）
前記実施形態の紐状部材６１は、その一端が閉塞部材４に繋止されているが、開閉機構部５に繋止される構成であってもよい。
【００５７】
（変形例３）
前記実施形態の調整部６４は、外装筐体２から露出しているが、外装筐体２内に収納するように構成してもよい。
【００５８】
（変形例４）
前記実施形態の開閉機構部５は、弁部５２６が閉塞状態に連結部５１を係止するように構成しているが、開放状態に連結部５１を係止するように構成してもよい。
【００５９】
（変形例５）
前記実施形態の連結部５１は、閉塞部材４に対して前後方向（±Ｙ方向）に摺動するように構成されているが、連結部５１として伸縮性を有する材料、例えばエラストマー等を用い、前後方向の摺動を行わず、案内部５２を移動するように構成してもよい。
【００６０】
（変形例６）
前記実施形態の光変調装置は、透過型の液晶パネル３３２を用いているが、反射型の液晶パネルを利用したものや、マイクロミラーを用いたデバイス等を使用したものであってもよい。
【図面の簡単な説明】
【００６１】
【図１】プロジェクタが天吊り姿勢にて設置された状態を前方上側から見た斜視図。
【図２】プロジェクタが天吊り姿勢にて設置された状態を後方上側から見た斜視図。
【図３】プロジェクタの概略構成を模式的に示す平面図。
【図４】閉塞部材、開閉機構部および操作部の概略構成を模式的に示す斜視図。
【図５】開放状態の閉塞部材、開閉機構部および操作部を示す正面図。
【図６】図５におけＺ−Ｚ断面図。
【図７】案内部および連結部を上方からみた平面図。
【図８】弁部の拡大図。
【図９】調整部を開いた状態を示す斜視図。
【図１０】閉塞状態の閉塞部材および開閉機構部を示す正面図。
【図１１】変形例のプロジェクタが天吊りされた状態を前方上側から見た斜視図。
【図１２】変形例のプロジェクタが天吊りされた状態を後方上側から見た斜視図。
【符号の説明】
【００６２】
１，１０…プロジェクタ、２…外装筐体、４，４０…閉塞部材、５…開閉機構部、６，６０…操作部、３４…投写レンズ、５１…連結部、６０…操作部、６１…紐状部材、６４…調整部、１４０，２１１…開口部、２１２…吸気口、２１３…排気口、３１１…光源、３３２…液晶パネル、５２１…ガイド体、５２６，５２７Ａ，５２７Ｂ…弁部。
【図１】
2009217214.tif 000003
【図２】
2009217214.tif 000004
【図３】
2009217214.tif 000005
【図４】
2009217214.tif 000006
【図５】
2009217214.tif 000007
【図６】
2009217214.tif 000008
【図７】
2009217214.tif 000009
【図８】
2009217214.tif 000010
【図９】
2009217214.tif 000011
【図１０】
2009217214.tif 000012
【図１１】
2009217214.tif 000013
【図１２】
2009217214.tif 000014